(57)【特許請求の範囲】
【請求項１】
睡眠支持部材の試験方法であって、
特定ユニットが前記睡眠支持部材を特定し、
前記特定された睡眠支持部材が消費者に提供される前に、前記特定された睡眠支持部材の試験済み快適性／支持値を快適性／支持試験ユニットが決定し、
前記試験済み快適性／支持値が前記特定された睡眠支持部材の目標快適性／支持値の所定の許容範囲内にあるかを分析ユニットが決定する、
睡眠支持部材の試験方法。
【請求項２】
前記目標快適性／支持値は少なくとも一つの目標Indention/Load/Deflection（ILD）曲線を成し、当該ILD曲線は負荷の変化に対する撓みの値を示し、
前記試験済み快適性／支持値はILD試験により決定される、請求項１に記載の方法。
【請求項３】
前記目標快適性／支持値はメモリから読み出され、
前記メモリは、他の複数の睡眠支持部材とそれぞれ関連付けられた他の複数の目標快適性／支持値を含み、
前記分析ユニットは更に、前記試験済み快適性／支持値が前記特定された睡眠支持部材における前記目標快適性／支持値の所定の許容範囲内にない場合、前記試験済み快適性／支持値が他の目標快適性／支持値の所定の許容範囲内であるかを決定するために、前記他の複数の目標快適性／支持値を調査する、
請求項１に記載の方法。
【請求項４】
前記特定された睡眠支持部材の試験済み快適性／支持値は、前記特定された睡眠支持部材が製造ラインに配置されている間に決定される、請求項１に記載の方法。
【請求項５】
前記特定された睡眠支持部材の試験済み快適性／支持値は、
接触面を用いて前記睡眠支持部材の所定の位置に負荷を加え、
前記加えられた負荷により生じた前記睡眠支持部材の撓みを測定することで決定される、請求項１に記載の方法。
【請求項６】
更に、複数の負荷を前記睡眠支持部材の所定の位置に前記接触面を用いて加え、
前記加えられた負荷による前記睡眠支持部材の複数の関連する撓みを測定する、
請求項５に記載の方法。
【請求項７】
睡眠支持部材の試験装置であって、
前記睡眠支持部材を特定する特定ユニットと、
前記特定された睡眠支持部材が消費者に提供される前に、前記特定された睡眠支持部材の試験済み快適性／支持値を決定する快適性／支持試験ユニットと、
前記試験済み快適性／支持値が前記特定された睡眠支持部材の目標快適性／支持値の所定の許容範囲内にあるかを決定する分析ユニットと、
を有する睡眠支持部材の試験装置。
【請求項８】
前記目標快適性／支持値は少なくとも一つの目標Indention/Load/Deflection（ILD）曲線を成し、当該ILD曲線は負荷の変化に対する撓みの値を示し、
前記試験済み快適性／支持値はILD試験により決定される、請求項７に記載の装置。
【請求項９】
前記装置は更にメモリを備え、
前記目標快適性／支持値は前記メモリから読み出され、
前記メモリは、他の複数の睡眠支持部材とそれぞれ関連付けられた他の複数の目標快適性／支持値を含み、
前記分析ユニットは、前記試験済み快適性／支持値が前記特定された睡眠支持部材における前記目標快適性／支持値の所定の許容範囲内にない場合、前記分析ユニットが、前記試験済み快適性／支持値が他の目標快適性／支持値の所定の許容範囲内であるかを決定するために、前記他の複数の目標快適性／支持値を調査するように構成されている、請求項７に記載の装置。
【請求項１０】
前記睡眠支持部材は識別手段を有し、
前記識別手段は、前記睡眠支持部材の目標仕様、前記睡眠支持部材の目標ILD曲線、前記睡眠支持部材の目標許容範囲、前記睡眠支持部材の型、前記睡眠支持部材が製造された場所、前記睡眠支持部材の製造日、前記睡眠支持部材の製造材料、および消費者情報のうちの少なくとも一つに関する情報を有する、請求項７に記載の装置。
【請求項１１】
前記分析ユニットは、前記特定された睡眠支持部材が製造ラインに配置されている間に、前記試験済み快適性／支持値が前記特定された睡眠支持部材の目標快適性／支持値の所定の許容範囲内にあるかを決定する、請求項７に記載の装置。
【請求項１２】
前記快適性／支持試験ユニットは、
前記睡眠支持部材の試験位置に負荷を加える接触面と、
前記試験位置に加えられた前記負荷によって生じる前記睡眠支持部材の撓みを測定する測定ユニットと、
を有する請求項７に記載の装置。
【請求項１３】
前記接触面は前記睡眠支持部材の前記試験位置に複数の負荷を加え、
前記測定ユニットは加えられた各負荷によって生じた前記睡眠支持部材の複数の対応する撓みを測定する、
請求項１２に記載の装置。
【請求項１４】
更に、前記特定された睡眠支持部材が前記消費者に提供される前に、前記特定された睡眠支持部材の複数の試験済み快適性／支持値を決定し、
前記試験済み快適性／支持値が前記特定された睡眠支持部材の目標快適性／支持値の所定の許容範囲内にあるかを決定する、
請求項６に記載の方法。
【請求項１５】
前記快適性／支持試験ユニットは、前記睡眠支持部材が消費者に提供される前に、前記特定された睡眠支持部材の複数の試験済み快適性／支持値を決定し、
前記分析ユニットは、前記試験済み快適性／支持値が前記特定された睡眠支持部材の目標快適性／支持値の所定の許容範囲内にあるかを決定する、
請求項７に記載の装置。
【発明の詳細な説明】
【技術分野】
【０００１】
関連出願への相互参照
この出願は２００８年６月２６日に米国特許商標庁に出願された仮出願第６１／０７５，７９６号に対して優先権の利益を主張し、参照のためそのすべてがここに引用される。
【０００２】
本発明にかかる方法及び装置は、睡眠支持部材の快適性／支持分析、および特定の睡眠支持部材の硬さが条件を満たしているかについて決定することに関する。特に、本発明にかかる方法及び装置は、睡眠支持部材が製造された後、睡眠支持部材が製造ラインを離れる前における睡眠支持部材の硬さ試験に関する。これらの方法及び装置はまた、最適な支持特性と快適性を特定の人に提供するために特別注文で製造された睡眠支持部材が、期待通りの仕様を備えるように製造されたかについて決定することに関する。
【背景技術】
【０００３】
昨今、多種多様な睡眠器具が使用されている。このような睡眠器具は、マットレス、ボックススプリング、土台ユニット、ベッドフレーム、枕、マットレスパッド、リネン、さらに一般的には人の睡眠に影響を及ぼすあらゆる種類の睡眠に関連する製品を含む寝具類のすべてを備えるが、これらに限定されることはない。しかしながら、それぞれの睡眠器具はある人には適しているが、他の人には適さない場合がある。
【０００４】
マットレスおよび／または土台ユニットを用いて、マットレスおよび／または土台ユニットが適切な快適性と支持を人に与えることが特に重要である。例えば、マットレスは、体重により加えられた下方向の力を、内部スプリングによる抵抗によって支持する。
【０００５】
しかしながら、従来の製造方法では、製造されたマットレスが許容範囲内の快適性と支持特性を購入者に対して提供することを保証することができない。また、購入者の家に配送されたマットレスが、購入者が店でテストしたマットレスと同じ快適性と支持特性を示すことについて購入者は知ることができない。したがって、購入したマットレスが許容範囲内であるかについて消費者が決定する客観的な方法が必要である。
【０００６】
マットレスが個々の人に対して適切な快適性および／または支持を提供するか否かについては、マットレスの硬さ試験により決定することができる。これは、例えばIndention/Load/Deflection（ILD）試験装置を用いることで達成することができる。ILD試験装置は、ある応力（つまり、負荷）が加えられた際に、マットレスまたは土台ユニットの表面がどのくらい撓むかを決定することで、マットレスまたは土台ユニットの硬さを試験する従来の装置である。従来のILD試験装置は、一定の間隔をおいて（例えば、1/2インチまたは1インチ）測定していた。
【０００７】
このようなILD試験装置は、設計段階において１バッチの中から一つのマットレスまたは土台ユニットを試験することにより、１バッチのマットレスまたは土台ユニットの硬さを見積もるのにしばしば用いられていた。しかし、それぞれのマットレスまたは土台ユニットが製造された際に、製造ラインで製造されたそれぞれのマットレスまたは土台ユニットの硬さが許容範囲内であるかについて試験をする装置はなかった。このように、製造ラインに組み込んだ快適性／支持分析システムが必要であった。このようなシステムは、特別注文で製造されたマットレスおよび／または土台ユニット（すなわち、所望のユーザーの特有の性質にあうように特別注文で製造されたマットレスおよび／または土台ユニット）がユーザーの使用に適していることを保証するという問題に対処するための助けとなる。また、研究や開発の目的のために改善された快適性／支持分析システムが必要である。
【０００８】
従来のILD試験装置はこれらの問題に対処することができず、また先行技術は前述の効果を正しく評価することができなかった。実際に、従来のILD試験装置はマットレスを試験するために製造ラインに組み込まれることはなく、ましてや全ての製造されたマットレスを試験することはできなかった。更に、従来のILD試験装置は、一般的に固有の撓みに対する硬さの値を決定する場合にのみ用いられており、ILD曲線全体（すなわち、負荷の変化に対する撓みの値）を用いて比較されることはなかった。しかしながら、マットレスと土台ユニットは線形ILD曲線の関係（すなわち、フックの法則Ｆ＝−ｋ・ｘにしたがった、単位長さあたりに一定の力が働く関係）を示さないことが多い。
【０００９】
それどころか、多くのマットレスまたは土台ユニットは硬さのレベルを変化させる複数の構成部品や層を用いて形成されているため、多くのマットレスおよび土台ユニットのILD曲線は複雑となる。例えば、マットレスの最上部は一般的に、快適層の下部に配置された内部スプリングを有する支持層とは異なるILD曲線を示す、発泡体や繊維などの快適性を与える材料を有する。
【００１０】
したがって、製造ラインに組み込んだ快適性／支持分析システムは、製造業者の保証や品質保証用途に有用であり、またこの装置を用いて製造業者が製造方法の正確さを保証することができる。例えば、製造ラインに組み込んだ快適性／支持分析システムを用いることで、製造業者は、全ての製造されたマットレスが購入者にとって許容範囲内の快適性と支持特性を供給することを保証することができる。また、このような製造ラインに組み込んだ快適性／支持分析システムは、消費者にマットレスを見分けるための客観的な方法を提供することができる。
【００１１】
更に、単一の測定点の代りに、快適性／支持分析曲線を用いる快適性／支持分析システムは、睡眠支持部材の特性のより正確な評価を提供することができる。また、テスト用プラテンでマットレスを撓ませている間に快適性／支持分析曲線を測定することに加えて、マットレスからテスト用プラテンを離している間に快適性／支持分析曲線を測定することで、睡眠支持部材の材料の回復特性を分析することができる。
【発明の概要】
【００１２】
睡眠支持部材の快適性／支持分析のための方法と装置について説明する。本発明の一態様は、睡眠支持部材の試験方法であって、前記睡眠支持部材を特定し、前記特定された睡眠支持部材が消費者に提供される前に、前記特定された睡眠支持部材の試験済み快適性／支持値を決定し、前記試験済み快適性／支持値が、前記特定された睡眠支持部材の目標快適性／支持値の所定の許容範囲内にあるかを決定する、睡眠支持部材の試験方法である。
【００１３】
本発明の他の態様は、睡眠支持部材の試験装置であって、前記睡眠支持部材を特定する特定ユニットと、前記特定された睡眠支持部材が消費者に提供される前に、前記特定された睡眠支持部材の試験済み快適性／支持値を決定する快適性／支持試験ユニットと、前記試験済み快適性／支持値が、前記特定された睡眠支持部材の目標快適性／支持値の所定の許容範囲内にあるかを決定する分析ユニットと、を有する睡眠支持部材の試験装置である。
【００１４】
本発明の他の態様は、睡眠支持部材を特定し、前記特定された睡眠支持部材の試験済み快適性／支持値を決定し、前記試験済み快適性／支持値が前記特定された睡眠支持部材の目標快適性／支持値の所定の許容範囲内にあるかを決定する、睡眠支持部材の試験方法であって、前記目標快適性／支持値は、少なくとも一つの目標Indention/Load/Deflection（ILD）曲線を有する、睡眠支持部材の試験方法である。
【図面の簡単な説明】
【００１５】
本発明の上記また他の態様は、下記で説明する添付図面を参照して、実施の形態を詳細に説明することでより明らかになるであろう。
【００１６】
【図１】図１は、本発明の実施の形態にかかる睡眠支持部材のための快適性／支持分析システムの概略図である。
【００１７】
【図２】図２は、本発明の実施の形態にかかる睡眠支持部材の両側を試験するように構成された、第１の快適性／支持分析システムと第２の快適性／支持分析システムの概略図である。
【発明を実施するための形態】
【００１８】
以下、本発明の実施の形態について、添付の図面を参照して詳細に説明する。
【００１９】
図１は、本発明の実施の形態にかかる睡眠支持部材の製造ライン１００を示す。実施の形態の睡眠支持部材の製造ライン１００は、睡眠支持部材５０を製造するための製造エリア２５を有する。睡眠支持部材５０は、マットレスおよび／または土台ユニットを含む（ただし、これらに限定されることはない）多様な睡眠器具の構成部品を備えていてもよい。
【００２０】
図１に示す実施の形態では、製造された睡眠支持部材５０のそれぞれは、睡眠支持部材５０を製造エリア２５から包装装置３０へと搬送する搬送システム２０へ運ばれる。ここで、包装装置３０は、睡眠支持部材５０を包装することで睡眠支持部材５０の出荷の準備をする。
【００２１】
睡眠支持部材５０が搬送システム２０の上にある際に、睡眠支持部材５０は、睡眠支持部材５０の表面または内部に設けられた識別手段４２に基づき、リーダー４０によって識別される。識別手段４２は、バーコードまたは電波による個体識別（RFID）タグを含むことができるがこれらに限定されることはない。また、リーダー４０は、例えばバーコードリーダーまたはRFIDリーダーを含むことができるがこれらに限定されることはない。しかしながら、本発明は上記実施の形態の構成に限定されることはなく、本発明ではこれ以外の識別手段／リーダーを用いてもよい。
【００２２】
一実施の形態では、識別手段４２は、目標仕様、目標快適性／支持分析曲線、目標許容範囲、睡眠支持部材の型、睡眠支持部材が製造された設備に関する識別手段、製造日、製造材料に関する情報、消費者情報など（ただし、これらに限定されることはない）を含む睡眠支持部材５０に関する様々な情報を含むことができる。一実施の形態では、識別手段４２は、データベースやデータファイル等に関する参照情報を有し、データベースやデータファイル等は、目標仕様、目標快適性／支持分析曲線、目標許容範囲、睡眠支持部材の型、睡眠支持部材が製造された設備に関する識別手段、製造日、製造材料に関する情報、消費者情報など格納する。
【００２３】
睡眠支持部材５０の硬さは、快適性／支持分析システム１０を用いて試験することができる。しかし、本発明はこれに限定されることはない。快適性／支持分析システム１０は製造ラインに配置されていてもよく、また研究や開発の目的で、製造ラインの外で使用することもできる。快適性／支持分析システム１０は、睡眠支持部材５０の特定の場所に負荷を与える接触面と、睡眠支持部材５０の撓みを測定する撓みゲージとを有するが、本発明はこれらの構成に限定されることはない。睡眠支持部材５０の特定の場所に加えられる負荷が増加するにしたがい、睡眠支持部材５０はより大きく撓む。
【００２４】
一実施の形態では、接触面は特定の場所において特定の距離だけ睡眠支持部材５０に押し込まれ、睡眠支持部材５０に加えられた対応する応力が分析される。例えば、睡眠支持部材５０の最表面から、睡眠支持部材５０の表面からおよそ２インチの深さまでの距離内で測定された対応する応力の測定によって、マットレスにおける快適材料の標準的な厚さを見積もることができ、また、快適値を計算することができる。また、睡眠支持部材５０の表面から２インチの深さから、睡眠支持部材５０の表面からおよそ７インチの深さまでの距離内で測定された対応する応力の測定によって、マットレスにおける支持材料の標準的な厚さを見積もることができ、また、支持値を計算することができる。しかしながら、マットレスにおける快適材料と支持材料の厚さは変化し、上記実施の形態ではこれらの材料の一般的な見積のみを用いている。よって、本発明は上記実施の形態に限定されることはなく、快適値と支持値を計算するために、多種多様な異なる測定深さを用いることができる。更に、一実施の形態では、睡眠支持部材５０の最上部における対応する応力の測定により、マットレスにおける快適材料の標準的な厚さを見積もることができ、また快適値を計算することができる。また、睡眠支持部材５０の底部における対応する応力の測定により、支持値を計算することができる。
【００２５】
他の実施の形態では、睡眠支持部材５０に加えられた特定の応力が測定され、また接触面が睡眠支持部材５０を押し込んだ対応する距離が測定されるまで、接触面が睡眠支持部材５０の特定の場所に押し込まれる。前述の特定の応力は、例えば人体測定データと特定の人から得られた測定結果を関連付けることができる。
【００２６】
一実施の形態では、リーダー４０は、製造された各睡眠支持部材５０の目標快適性／支持分析曲線を含む目標仕様を取得するために、睡眠支持部材５０の識別手段４２を読み取る。快適性／支持分析曲線を使用することで、単一の測定点の場合よりも、より正確に睡眠支持部材５０の快適性／支持分析をすることができる。例えば、とても肩幅の広い人が横向きで寝ている場合、睡眠支持部材５０の特定の場所における負荷は、肩幅の広い人が仰向けで寝ている場合（この場合、負荷が睡眠支持部材５０上のより広い部分に分散する）よりも更に大きくなる。単一の目標ILD点ではなく目標快適性／支持分析曲線を使用することで、睡眠支持部材５０がそれぞれの睡眠位置において適切な硬さを有することを保証するための試験をすることができる。
【００２７】
更に、本発明の一実施の形態では、快適性／支持分析システム１０は、睡眠支持部材５０の特定の場所に負荷を与え、また接触面が睡眠支持部材５０から離れている間に快適性／支持分析曲線を測定する接触面を有する。これにより、睡眠支持部材５０の材料回復特性を分析することができる。
【００２８】
製造された睡眠支持部材５０の目標仕様を取得すると、その後、快適性／支持分析システム１０は、特定された睡眠支持部材５０の計画された試験を通過することにより、特定された睡眠支持部材５０の１以上の場所において快適性／支持分析曲線を測定する。試験は、例えばプロセッサとメモリを備えるコントローラ６０によって制御される。本発明によると、快適性／支持分析システム１０は、特別注文で製造された睡眠支持部材の両側（それぞれの側は異なる特性を示す）を試験するために、例えば多数の試験ユニットを有することができる。
【００２９】
１よりも多い場所が使用された場合、図１に示すように、特定された睡眠支持部材５０上の特定の場所から、特定された睡眠支持部材５０上の次の特定の場所へ、快適性／支持分析システム１０がＸおよび／またはＹ方向に移動する。それぞれの位置において、睡眠支持部材５０に加えられる応力は徐々に増加し、快適性／支持分析システム１０は睡眠支持部材５０の撓み量を決定する。測定された快適性／支持分析曲線は、それぞれの異なる負荷に対するそれぞれの撓み値に基づいて決定される。
【００３０】
従来の重量平均ILD測定を提供するILD装置とは対照的に、本発明の実施の形態では、快適性分析測定と支持分析測定の両方を提供する。従来の重量平均ILD測定を使用する場合の欠点は、２つの睡眠支持部材が同一のILD重量平均を有する場合であっても、全く異なる快適性／支持特性を有する点である（すなわち、２つのマットレスは全く異なる"感触"を有する）。
【００３１】
一実施の形態では、睡眠支持部材５０の所望の使用者の体格を再現するために、複数の分析位置が使用される。本出願の発明者により、例えば、"Customized Mattress Evaluation System"と題する米国特許第6,585,328や"Method and Apparatus for Testing a Mattress,"と題する米国仮出願第61/028,599に記載されているように、例えば、それぞれの加圧構造の位置が、睡眠支持部材５０を下方に押下げる所望の使用者の体の一部を再現するように、複数の加圧構造を配置してもよい。ここで、これらの文献の全ての内容を参照としてここに取り込む。各加圧構造によって撓められた複数の異なる位置における睡眠支持部材５０の撓み量に関する快適性／支持分析曲線を測定するために、例えば、このような複数の加圧構造を用いることができる。更に、ある応力に到達し、当該ある応力に到達した際の睡眠支持部材５０の撓み結果が見積もられるまでの間、多くの場所において睡眠支持部材５０を撓めるために、このような複数の加圧構造を用いることができる。
【００３２】
実際に、本発明の一実施の形態によると、人体にとっての最適な支持特性と快適性を決定するために、"Apparatus and Methods for Evaluating a Person for a Sleep System,"と題した米国仮出願第61/028,578（この全ての内容を参照としてここに取り込む）に開示されているシステムや方法を用いて、人をまず評価することができる。その後、決定された最適な支持特性と快適性を示す特別注文のマットレスが人のために製造される。最後に、特別注文のマットレスが、決定された最適な支持特性と快適性が所定の許容範囲内であるという条件を正確に満たすか評価するために、本発明の実施の形態が用いられる。例えば、消費者の身体に関する測定結果は、米国仮出願第61/028,578に記載されているシステムや方法を用いることで、睡眠支持部材の店で取得することができる。その後、このような測定結果は、米国特許第6,585,328に記載されているように、睡眠支持部材５０を下方に押下げる所望の使用者の体の一部を再現するために配置されている複数の加圧構造に送られる。
【００３３】
快適性／支持分析システム１０によって与えられた測定結果は、その後、目標快適性／支持分析曲線と比較される。決定された快適性／支持分析曲線が目標曲線から所定の許容範囲（例えば、±2%、±10%、±20%など）以上にそれたかどうかに関連する合否の値が、特定された睡眠支持部材５０に割り当てられる。一実施の形態によると、高級な特別注文の睡眠支持部材（すなわち、使用者の特定の体格に従って正確に設計された睡眠支持部材）の所定の許容範囲は、一般的な特別注文の睡眠支持部材（すなわち、似たような体格を有する複数の使用者のために一般的に設計された睡眠部材）の所定の許容範囲よりも小さい。このように、高級な特別注文の睡眠支持部材の購入者に対して、マットレスおよび／またはボックススプリングがそれぞれの人の仕様にぴったり合うことを保証することができる。
【００３４】
一実施の形態によると、特定の製造ラインを用いて製造されたそれぞれの睡眠支持部材５０は、それぞれの睡眠支持部材５０が所望の仕様を満たすことを保証するために、快適性／支持分析システム１０による試験を受ける。
【００３５】
一実施の形態では、特定の製品の目標快適性／支持分析曲線に関して不合格とされた睡眠支持部材５０は廃棄される。しかしながら、他の実施の形態では、試験された睡眠支持部材５０が特定の製品の目標快適性／支持分析曲線に関して不合格とされた場合、試験された睡眠支持部材５０の測定された快適性／支持分析曲線は、コントローラ６０のメモリ内にあるデータベースや外部データベースに格納されている他の様々な製品の目標快適性／支持分析曲線と比較される。もし、試験された睡眠支持部材５０の測定された快適性／支持分析曲線が、他の製品の目標快適性／支持分析曲線と、要求された所定の許容範囲内において一致する場合、試験された睡眠支持部材５０は、試験された睡眠支持部材５０が合格となる他の製品として再度割り振られる。よって、マットレスの廃棄を回避することができる。
【００３６】
その後、睡眠支持部材５０は、消費者や地元の小売店への出荷の準備のために包装装置３０へと搬送される。配送された睡眠支持部材が仕様を満たすことを消費者に保証するために、目標快適性／支持分析曲線と比較された測定された正確な快適性／支持分析曲線を示す印刷物を、製品に同封することができる。
【００３７】
図２に示す一実施の形態では、睡眠支持部材５０の硬さを試験するために、第２の快適性／支持分析システム１１を用いることもできる。例えば、快適性／支持分析システム１０が睡眠支持部材５０の一方の側を試験するように、そして第２の快適性／支持分析システム１１が睡眠支持部材５０の他方の側を試験するように構成してもよい。図２に示す構成では、例えば睡眠支持部材５０の両側を同時に試験することができ、睡眠支持部材５０の２人の所望の使用者（例えば、２人の睡眠パートナー）の体格を再現することができる。
【００３８】
以上、本発明を上記実施形態に即して説明したが、添付の本願特許請求の範囲の請求項の発明の趣旨を逸脱しない範囲内で当業者であればなし得る各種変形を含むことは勿論である。実施の形態は説明のための記載としてのみ考慮されるべきであり、限定を目的に考慮すべきではない。したがって、発明の範囲は、発明の詳細な説明によってではなく、関連する通常の出願で説明された請求項によって定義され、当該発明の範囲内における全ての相違点は本願発明に含まれると解釈されるであろう。
【図１】
0005474956.tif 000002
【図２】
0005474956.tif 000003